(57)【要約】【課題】トナー容器が装着される装着部の構成を複雑化することなく、伝達カップリングと駆動カップリングを連結させる。【解決手段】本発明の画像形成装置は、トナー容器１５と、トナー容器１５が着脱可能に装着される装着部と、を備え、トナー容器１５は、トナーを収容する容器本体２１と、回転軸Ｘの周りを回転する回転部材２２と、伝達カップリング６１を有し、回転部材２２に回転を伝達する伝達部材２５と、第１の位置と、第１の位置よりも回転軸方向において前記容器本体から離れた側にある第２の位置と、の間で伝達部材２５を移動させる移動機構２６と、を備え、装着部は、操作部材と駆動カップリング１０４とを備え、トナー容器１５が装着部に装着された状態で操作部材が移動するのに伴って、移動機構２６が伝達部材２５を第１の位置から第２の位置まで移動させ、伝達カップリング６１が駆動カップリング１０４に連結される。【選択図】図７
2020106868.tif 000002
【特許請求の範囲】
【請求項１】
トナー容器と、
前記トナー容器が着脱可能に装着される装着部と、を備え、
前記トナー容器は、
トナーを収容する容器本体と、
前記容器本体に少なくとも一部が収容され、回転軸の周りを回転する回転部材と、
前記容器本体の外部に配置され、伝達カップリングを有し、前記回転部材に回転を伝達する伝達部材と、
第１の位置と、前記回転軸方向において前記第１の位置よりも前記容器本体から離れた側にある第２の位置と、の間で前記伝達部材を移動させる移動機構と、を備え、
前記装着部は、
第１の操作位置と第２の操作位置との間で移動する操作部材と、
駆動源からの回転駆動力によって回転する駆動カップリングと、を備え、
前記トナー容器が前記装着部に装着されるのに伴って、前記移動機構が前記操作部材に係合すると共に前記伝達カップリングが前記駆動カップリングに対向し、
前記トナー容器が前記装着部に装着された状態で前記操作部材が前記第１の操作位置から前記第２の操作位置まで移動するのに伴って、前記移動機構が前記伝達部材を前記第１の位置から前記第２の位置まで移動させ、前記伝達カップリングが前記駆動カップリングに連結され、
前記移動機構は、
前記伝達部材を前記第１の位置に保持する第１の保持位置と、前記伝達部材を前記第２の位置に保持する第２の保持位置と、の間で回転する保持部材と、
前記保持部材を前記第２の保持位置に付勢する付勢部材と、を備え、
前記保持部材は、前記伝達部材を保持し前記回転軸を中心として回転可能なベース部と、前記ベース部の外周面から径方向に沿って延びるアームと、前記アーム部の先端から前記回転軸方向において前記容器本体から離れる側に延びるボス部と、を有し、
前記トナー容器が前記装着部に装着されるのに伴って、前記操作部材が前記保持部材の前記ボス部を押圧し、前記付勢部材の付勢力に抗して前記保持部材が前記第２の保持位置から前記第１の保持位置まで回転し、
前記トナー容器が前記装着部に装着された状態で前記操作部材が前記第１の操作位置から前記第２の操作位置まで移動するのに伴って、前記操作部材による前記保持部材の前記ボス部に対する前記第１の保持位置への押圧が解除され、前記付勢部材の付勢力によって前記保持部材が前記第１の保持位置から前記第２の保持位置まで回転することを特徴とする画像形成装置。
【請求項２】
前記トナー容器は、前記容器本体の前記回転軸方向において前記容器本体から離れる側を覆うカバー部材を更に備え、
前記カバー部材は、
貫通穴を有する主壁と、
前記貫通穴の外周において前記主壁から前記回転軸方向において前記容器本体へ近づく側に向かって突出するガイド壁と、を備え、
前記保持部材の一部は、前記ガイド壁に挿入されていることを特徴とする請求項１に記載の画像形成装置。
【請求項３】
前記ガイド壁の前記回転軸方向において前記容器本体へ近づく側の縁部には、ガイド部が設けられ、前記ガイド部の少なくとも一部は、前記保持部材が前記第１の保持位置から前記第２の保持位置まで回転する時の回転方向における上流側から下流側に向かって前記回転軸方向において前記容器本体から離れる側に傾斜し、
前記保持部材は、前記ガイド部の前記一部に当接する被ガイド部を有することを特徴とする請求項２に記載の画像形成装置。
【請求項４】
前記トナー容器は、前記回転部材に接続される支持部材を更に備え、
前記伝達部材は、前記回転軸方向に沿って移動可能且つ相対回転不能な状態で前記支持部材に支持され、
前記付勢部材は、前記支持部材と前記伝達部材の間に介装されていることを特徴とする請求項１〜３のいずれか１項に記載の画像形成装置。
【請求項５】
前記容器本体は、トナーを排出する排出口を有し、
前記トナー容器は、前記排出口を閉止する閉止位置と、前記排出口を開放する開放位置と、の間で回転するシャッターを更に備え、
前記操作部材は、前記第１の操作位置と前記第２の操作位置との間で回転するように設けられ、
前記操作部材が前記第１の操作位置から前記第２の操作位置まで回転するのに伴って、この回転が前記シャッターに伝達され、前記シャッターが前記閉止位置から前記開放位置まで回転することを特徴とする請求項１〜４のいずれか１項に記載の画像形成装置。
【請求項６】
第１の操作位置と第２の操作位置との間で移動する操作部材と、駆動源からの回転駆動力によって回転する駆動カップリングと、を備える装着部を有する画像形成装置の前記装着部に着脱可能に装着されるトナー容器であって、
トナーを収容する容器本体と、
前記容器本体に少なくとも一部が収容され、回転軸の周りを回転する回転部材と、
前記容器本体の外部に配置され、前記回転部材に回転を伝達し、伝達カップリングを有する伝達部材と、
第１の位置と、前記回転軸方向において前記第１の位置よりも前記容器本体から離れた第２の位置と、の間で前記伝達部材を移動させる移動機構と、を備え、
前記トナー容器が前記装着部に装着されるのに伴って、前記移動機構が前記操作部材に係合すると共に前記伝達カップリングが前記駆動カップリングに対向し、
前記トナー容器が前記装着部に装着された状態で前記操作部材が前記第１の操作位置から前記第２の操作位置まで移動するのに伴って、前記移動機構が前記伝達部材を前記第１の位置から前記第２の位置まで移動させ、前記伝達カップリングが前記駆動カップリングに連結され、
前記移動機構は、
前記伝達部材を前記第１の位置に保持する第１の保持位置と、前記伝達部材を前記第２の位置に保持する第２の保持位置と、の間で回転する保持部材と、
前記保持部材を前記第２の保持位置に付勢する付勢部材と、を備え、
前記保持部材は、前記伝達部材を保持し前記回転軸を中心として回転可能なベース部と、前記ベース部の外周面から径方向に沿って延びるアームと、前記アーム部の先端から前記回転軸方向において前記容器本体から離れる側に延びるボス部と、を有し、
前記トナー容器が前記装着部に装着されるのに伴って、前記操作部材が前記保持部材の前記ボス部を押圧し、前記付勢部材の付勢力に抗して前記保持部材が前記第２の保持位置から前記第１の保持位置まで回転し、
前記トナー容器が前記装着部に装着された状態で前記操作部材が前記第１の操作位置から前記第２の操作位置まで移動するのに伴って、前記操作部材による前記保持部材の前記ボス部に対する前記第１の保持位置への押圧が解除され、前記付勢部材の付勢力によって前記保持部材が前記第１の保持位置から前記第２の保持位置まで回転することを特徴とするトナー容器。
【発明の詳細な説明】
【技術分野】
【０００１】
本発明は、画像形成装置と、画像形成装置の装着部に着脱可能に装着されるトナー容器と、に関する。
【背景技術】
【０００２】
従来、プリンター、コピー機、ファクシミリ、複合機等の画像形成装置は、現像装置にトナーを補給するためのトナー容器を備えている。例えば、トナーを収容する容器本体と、容器本体に収容され、回転軸の周りを回転する回転部材と、容器本体の外部に配置され、回転部材に回転を伝達する伝達部材と、を備えたトナー容器がある（特許文献１参照）。このようなトナー容器では、伝達部材から回転部材に回転を伝達することで、容器本体内のトナーを回転部材によって撹拌したり、搬送したりできるようになっている。
【０００３】
上記のトナー容器は、通常、画像形成装置に設けられた装着部に着脱可能に装着されている。上記の装着部は、駆動源からの回転駆動力によって回転する駆動カップリングを備えており、この駆動カップリングが伝達部材の伝達カップリングに連結されることで、駆動源からの回転駆動力を伝達部材に伝達することが可能となる。
【先行技術文献】
【特許文献】
【０００４】
【特許文献１】特開２００１−３０５８４１号公報
【発明の概要】
【発明が解決しようとする課題】
【０００５】
伝達カップリングと駆動カップリングを連結させる構成の一例を、以下に説明する。まず、トナー容器を装着部に装着する。次に、トナー容器又は装着部に設けられた操作部材を操作して、駆動カップリングを回転軸方向に移動させる。これにより、伝達カップリングと駆動カップリングが連結される。
【０００６】
しかしながら、このような構成を採用するためには、駆動カップリングを回転軸方向に移動させるための機構を装着部に設けることが必要となり、装着部の構成が複雑化する恐れがある。
【０００７】
そこで、本発明は上記事情を考慮し、トナー容器が装着される装着部の構成を複雑化することなく、伝達カップリングと駆動カップリングを連結させることを目的とする。
【課題を解決するための手段】
【０００８】
本発明の画像形成装置は、トナー容器と、前記トナー容器が着脱可能に装着される装着部と、を備え、前記トナー容器は、トナーを収容する容器本体と、前記容器本体に少なくとも一部が収容され、回転軸の周りを回転する回転部材と、前記容器本体の外部に配置され、伝達カップリングを有し、前記回転部材に回転を伝達する伝達部材と、第１の位置と、前記回転軸方向において前記第１の位置よりも前記容器本体から離れた側にある第２の位置と、の間で前記伝達部材を移動させる移動機構と、を備え、前記装着部は、第１の操作位置と第２の操作位置との間で移動する操作部材と、駆動源からの回転駆動力によって回転する駆動カップリングと、を備え、前記トナー容器が前記装着部に装着されるのに伴って、前記移動機構が前記操作部材に係合すると共に前記伝達カップリングが前記駆動カップリングに対向し、前記トナー容器が前記装着部に装着された状態で前記操作部材が前記第１の操作位置から前記第２の操作位置まで移動するのに伴って、前記移動機構が前記伝達部材を前記第１の位置から前記第２の位置まで移動させ、前記伝達カップリングが前記駆動カップリングに連結され、前記移動機構は、前記伝達部材を前記第１の位置に保持する第１の保持位置と、前記伝達部材を前記第２の位置に保持する第２の保持位置と、の間で回転する保持部材と、前記保持部材を前記第２の保持位置に付勢する付勢部材と、を備え、前記保持部材は、前記伝達部材を保持し前記回転軸を中心として回転可能なベース部と、前記ベース部の外周面から径方向に沿って延びるアームと、前記アーム部の先端から前記回転軸方向において前記容器本体から離れる側に延びるボス部と、を有し、前記トナー容器が前記装着部に装着されるのに伴って、前記操作部材が前記保持部材の前記ボス部を押圧し、前記付勢部材の付勢力に抗して前記保持部材が前記第２の保持位置から前記第１の保持位置まで回転し、前記トナー容器が前記装着部に装着された状態で前記操作部材が前記第１の操作位置から前記第２の操作位置まで移動するのに伴って、前記操作部材による前記保持部材の前記ボス部に対する前記第１の保持位置への押圧が解除され、前記付勢部材の付勢力によって前記保持部材が前記第１の保持位置から前記第２の保持位置まで回転することを特徴とする。
【０００９】
本発明の画像形成装置において、前記トナー容器は、前記容器本体の前記回転軸方向において前記容器本体から離れる側を覆うカバー部材を更に備え、前記カバー部材は、貫通穴を有する主壁と、前記貫通穴の外周において前記主壁から前記回転軸方向において前記容器本体へ近づく側に向かって突出するガイド壁と、を備え、前記保持部材の一部は、前記ガイド壁に挿入されていることを特徴としてもよい。
【００１０】
本発明の画像形成装置において、前記ガイド壁の前記回転軸方向において前記容器本体へ近づく側の縁部には、ガイド部が設けられ、前記ガイド部の少なくとも一部は、前記保持部材が前記第１の保持位置から前記第２の保持位置まで回転する時の回転方向における上流側から下流側に向かって前記回転軸方向において前記容器本体から離れる側に傾斜し、前記保持部材は、前記ガイド部の前記一部に当接する被ガイド部を有することを特徴としてもよい。
【００１１】
本発明の画像形成装置において、前記トナー容器は、前記回転部材に接続される支持部材を更に備え、前記伝達部材は、前記回転軸方向に沿って移動可能且つ相対回転不能な状態で前記支持部材に支持され、前記付勢部材は、前記支持部材と前記伝達部材の間に介装されていることを特徴としてもよい。
【００１２】
本発明の画像形成装置において、前記容器本体は、トナーを排出する排出口を有し、前記トナー容器は、前記排出口を閉止する閉止位置と、前記排出口を開放する開放位置と、の間で回転するシャッターを更に備え、前記操作部材は、前記第１の操作位置と前記第２の操作位置との間で回転するように設けられ、前記操作部材が前記第１の操作位置から前記第２の操作位置まで回転するのに伴って、この回転が前記シャッターに伝達され、前記シャッターが前記閉止位置から前記開放位置まで回転することを特徴としてもよい。
【００１３】
本発明のトナー容器は、第１の操作位置と第２の操作位置との間で移動する操作部材と、駆動源からの回転駆動力によって回転する駆動カップリングと、を備える装着部を有する画像形成装置の前記装着部に着脱可能に装着されるトナー容器であって、トナーを収容する容器本体と、前記容器本体に少なくとも一部が収容され、回転軸の周りを回転する回転部材と、前記容器本体の外部に配置され、前記回転部材に回転を伝達し、伝達カップリングを有する伝達部材と、第１の位置と、前記回転軸方向において前記第１の位置よりも前記容器本体から離れた第２の位置と、の間で前記伝達部材を移動させる移動機構と、を備え、前記トナー容器が前記装着部に装着されるのに伴って、前記移動機構が前記操作部材に係合すると共に前記伝達カップリングが前記駆動カップリングに対向し、前記トナー容器が前記装着部に装着された状態で前記操作部材が前記第１の操作位置から前記第２の操作位置まで移動するのに伴って、前記移動機構が前記伝達部材を前記第１の位置から前記第２の位置まで移動させ、前記伝達カップリングが前記駆動カップリングに連結され、  前記移動機構は、前記伝達部材を前記第１の位置に保持する第１の保持位置と、前記伝達部材を前記第２の位置に保持する第２の保持位置と、の間で回転する保持部材と、前記保持部材を前記第２の保持位置に付勢する付勢部材と、を備え、前記保持部材は、前記伝達部材を保持し前記回転軸を中心として回転可能なベース部と、前記ベース部の外周面から径方向に沿って延びるアームと、前記アーム部の先端から前記回転軸方向において前記容器本体から離れる側に延びるボス部と、を有し、前記トナー容器が前記装着部に装着されるのに伴って、前記操作部材が前記保持部材の前記ボス部を押圧し、前記付勢部材の付勢力に抗して前記保持部材が前記第２の保持位置から前記第１の保持位置まで回転し、前記トナー容器が前記装着部に装着された状態で前記操作部材が前記第１の操作位置から前記第２の操作位置まで移動するのに伴って、前記操作部材による前記保持部材の前記ボス部に対する前記第１の保持位置への押圧が解除され、前記付勢部材の付勢力によって前記保持部材が前記第１の保持位置から前記第２の保持位置まで回転することを特徴とする。
【発明の効果】
【００１４】
本発明によれば、トナー容器が装着される装着部の構成を複雑化することなく、伝達カップリングと駆動カップリングを連結させることが可能となる。
【図面の簡単な説明】
【００１５】
【図１】本発明の第１の実施形態に係るプリンターを示す模式図である。
【図２】本発明の第１の実施形態に係るトナーコンテナを示す斜視図である。
【図３】本発明の第１の実施形態に係るトナーコンテナを模式的に示す断面図である。
【図４】本発明の第１の実施形態に係るトナーコンテナにおいて、支持部材、伝達部材、移動機構及びカバー部材を示す分解斜視図である。
【図５】本発明の第１の実施形態に係るトナーコンテナにおいて、伝達部材が第１の位置にある状態を示す断面図である。
【図６】本発明の第１の実施形態に係るトナーコンテナにおいて、伝達部材が第２の位置にある状態を示す断面図である。
【図７】本発明の第１の実施形態に係るトナーコンテナにおいて、支持部材及び伝達部材を示す斜視図である。
【図８】本発明の第１の実施形態に係るトナーコンテナにおいて、保持部材が第１の保持位置にある状態を示す斜視図である。
【図９】本発明の第１の実施形態に係るトナーコンテナにおいて、保持部材が第２の保持位置にある状態を示す斜視図である。
【図１０】本発明の第１の実施形態に係るトナーコンテナにおいて、シャッターが閉止位置にある状態を示す斜視図である。
【図１１】本発明の第１の実施形態に係るトナーコンテナにおいて、シャッターが開放位置にある状態を示す斜視図である。
【図１２】本発明の第１の実施形態に係るプリンターにおいて、トップカバーが閉止された状態を示す斜視図である。
【図１３】本発明の第１の実施形態に係るプリンターにおいて、トップカバーが開放された状態を示す斜視図である。
【図１４】本発明の第１の実施形態に係る装着部を示す斜視図である。
【図１５】本発明の第１の実施形態に係るプリンターにおいて、トナーコンテナが装着部に装着され、且つ、操作部材が第１の操作位置にある状態を示す断面図である。
【図１６】本発明の第１の実施形態に係るプリンターにおいて、トナーコンテナが装着部に装着され、且つ、操作部材が第２の操作位置にある状態を示す断面図である。
【図１７】本発明の第１の実施形態に係るプリンターにおいて、トナーコンテナが装着部の所定の位置まで挿入された状態を示す断面図である。
【図１８】本発明の第２の実施形態に係るトナーコンテナにおいて、支持部材、伝達部材、移動機構及びカバー部材を示す分解斜視図である。
【図１９】本発明の第２の実施形態に係る操作部材を示す斜視図である。
【図２０】本発明の第２の実施形態に係るトナーコンテナにおいて、保持部材が第１の保持位置にある状態を示す斜視図である。
【図２１Ａ】本発明の第２の実施形態に係るプリンターにおいて、突出部の押圧部にボス部の傾斜面が当接した状態を示す正面図である。
【図２１Ｂ】本発明の第２の実施形態に係るプリンターにおいて、突出部の押圧部がボス部を左側に押圧している状態を示す正面図である。
【図２１Ｃ】本発明の第２の実施形態に係るプリンターにおいて、突出部の押圧部によるボス部に対する左側への押圧が解除された状態を示す正面図である。
【図２２】本発明の第２の実施形態に係るプリンターにおいて、トナーコンテナが装着部に装着され、且つ、操作部材が第１の操作位置にある状態を示す断面図である。
【図２３】本発明の第２の実施形態に係るプリンターにおいて、トナーコンテナが装着部に装着され、且つ、操作部材が第２の操作位置にある状態を示す断面図である。
【図２４】本発明の第２の実施形態に係るトナーコンテナにおいて、保持部材が第２の保持位置にある状態を示す斜視図である。
【発明を実施するための形態】
【００１６】
＜第１の実施形態＞
以下、本発明の第１の実施形態について、図１〜図１７を参照しつつ説明する。
【００１７】
まず、プリンター１（画像形成装置の一例）の全体の構成について説明する。以下、説明の便宜上、図１における左側をプリンター１の前側とする。なお、各図に適宜付される矢印Ｆｒ、Ｒｒ、Ｌ、Ｒ、Ｕ、Ｌｏは、それぞれプリンター１の前側、後側、左側、右側、上側、下側を示している。
【００１８】
図１を参照して、プリンター１は、箱型形状のプリンター本体２（装置本体の一例）を備えている。プリンター本体２の下部には、用紙Ｓ（記録媒体の一例）を収納する給紙カセット３が収容されている。プリンター本体２の上面には排紙トレイ４が設けられている。プリンター本体２の上部には、排紙トレイ４の下側に露光器５が収容されている。
【００１９】
プリンター本体２の内部には、用紙Ｓの搬送経路Ｐが設けられている。搬送経路Ｐの上流端部には、給紙部６が設けられている。搬送経路Ｐの中流部には、画像形成部７が設けられている。画像形成部７は、感光体ドラム８と現像装置１０を有する。搬送経路Ｐの下流部には、定着装置１２が設けられている。
【００２０】
プリンター本体２の前上部には、トナーコンテナ１５（トナー容器の一例）が収容されている。トナーコンテナ１５は、装着部１６に着脱可能に装着されている。
【００２１】
次に、このような構成を備えたプリンター１の動作について説明する。
【００２２】
まず、露光器５からのレーザー光（図１の二点鎖線参照）により感光体ドラム８上に静電潜像が形成される。次に、感光体ドラム８上の静電潜像が現像装置１０によって現像され、トナー像が形成される。これにより、画像形成動作が完了する。
【００２３】
一方、給紙部６によって給紙カセット３から取り出された用紙Ｓは、上記した画像形成動作とタイミングを合わせて画像形成部７へと搬送され、この画像形成部７において上記のトナー像が感光体ドラム８から用紙Ｓに転写される。トナー像を転写された用紙Ｓは、搬送経路Ｐを下流側へと搬送されて定着装置１２に進入し、この定着装置１２において用紙Ｓにトナー像が定着される。トナー像が定着された用紙Ｓは、搬送経路Ｐの下流端部から排紙トレイ４に排出される。
【００２４】
次に、トナーコンテナ１５について更に説明する。
【００２５】
図２以降の各図に適宜付される矢印Ｏはトナーコンテナ１５の左右方向外側を示し、図２以降の各図に適宜付される矢印Ｉはトナーコンテナ１５の左右方向内側を示している。
【００２６】
図２、図３を参照して、トナーコンテナ１５は、容器本体２１と、容器本体２１の中央部に収容される撹拌部材２２（回転部材の一例）と、容器本体２１の後下部に収容される搬送部材２３（回転部材の一例）と、容器本体２１の右端側に配置される支持部材２４と、支持部材２４の右側（左右方向外側）に配置される伝達部材２５及び移動機構２６と、容器本体２１の右側（左右方向外側）を覆うカバー部材２７と、容器本体２１の右端部の後下側に配置されるシャッター２８と、を備えている。
【００２７】
トナーコンテナ１５の容器本体２１は、左右方向に長い形状を成している。容器本体２１は、トナー（現像剤）を収容している。容器本体２１は、収容部３１と、収容部３１の上側に設けられる蓋部３２と、収容部３１の右端部の後下側に設けられるダクト部３３と、を備えている。
【００２８】
容器本体２１の収容部３１は、上側が開放された箱型形状を成している。収容部３１の右側壁３１Ｒの中央部には、支持穴３５が設けられている。収容部３１の上端外周には、下側フランジ部３６が設けられている。
【００２９】
容器本体２１の蓋部３２は、下側が開放された箱型形状を成している。蓋部３２の下端外周には、上側フランジ部３７が設けられている。上側フランジ部３７は、収容部３１の下側フランジ部３６に固定されている。これにより、収容部３１と蓋部３２が一体化されている。蓋部３２の内部空間は、収容部３１の内部空間と連通している。
【００３０】
容器本体２１のダクト部３３は、左右方向に沿って延びる円筒状を成している。ダクト部３３は、収容部３１と一体に成型されている。ダクト部３３の内部空間は、収容部３１の内部空間と連通している。ダクト部３３の下面には、トナーを排出する排出口３８が設けられている。
【００３１】
図３を参照して、トナーコンテナ１５の撹拌部材２２は、容器本体２１の収容部３１に収容されている。撹拌部材２２は、左右方向に沿って延びる第１回転軸Ｘの周りを回転可能に設けられている。つまり、本実施形態では、左右方向が撹拌部材２２の回転軸方向である。撹拌部材２２は、左右方向に沿って延びる撹拌軸４０と、撹拌軸４０に取り付けられる撹拌羽根４１と、を備えている。撹拌羽根４１は、例えば樹脂製のフィルムによって構成されており、シート状を成している。
【００３２】
トナーコンテナ１５の搬送部材２３の左端部から左右方向中央部にわたる部分は、容器本体２１の収容部３１に収容されている。搬送部材２３の右側部は、容器本体２１のダクト部３３に収容されている。搬送部材２３の右端部は、ダクト部３３よりも右側（左右方向外側）に突出し、容器本体２１の外部に露出している。搬送部材２３は、左右方向に沿って延びる第２回転軸Ｙの周りを回転可能に設けられている。つまり、本実施形態では、左右方向が搬送部材２３の回転軸方向である。
【００３３】
搬送部材２３は、左右方向に沿って延びる搬送軸４３と、搬送軸４３の外周に突設される螺旋状の搬送フィン４４と、搬送軸４３の右端部（容器本体２１の外部に露出する部分）に固定される従動ギア４５と、を備えている。
【００３４】
図４を参照して、トナーコンテナ１５の支持部材２４は、円環状の露出片４７と、露出片４７の中央部から左側（左右方向内側）に向かって突出する連結片４８と、露出片４７の中央部から右側（左右方向外側）に向かって突出するボス片４９と、ボス片４９の外周において露出片４７から右側（左右方向外側）に向かって突出する一対の挿入片５０と、を備えている。
【００３５】
図３を参照して、支持部材２４の露出片４７は、容器本体２１の収容部３１の右側（左右方向外側）に配置されており、容器本体２１の外部に露出している。露出片４７の外周面には、駆動ギア５２が設けられている。駆動ギア５２は、搬送部材２３の従動ギア４５に噛み合っている。これにより、支持部材２４が搬送部材２３に接続されている。
【００３６】
支持部材２４の連結片４８は、容器本体２１の収容部３１の右側壁３１Ｒに設けられた支持穴３５を貫通している。これにより、支持部材２４が容器本体２１に回転可能に支持されている。連結片４８の先端部は、収容部３１の内部に挿入され、撹拌部材２２の撹拌軸４０の右端部に固定されている。これにより、支持部材２４が撹拌部材２２に接続されており、支持部材２４が撹拌部材２２と一体に第１回転軸Ｘの周りを回転可能となっている。
【００３７】
図４を参照して、支持部材２４の各挿入片５０の右端部（左右方向外側の端部）には、フック５４が設けられている。フック５４は、径方向外側（第１回転軸Ｘから離間する側）に向かって突出している。
【００３８】
図５、図６を参照して、トナーコンテナ１５の伝達部材２５は、容器本体２１の収容部３１の右側（左右方向外側）に配置されており、容器本体２１の外部に配置されている。伝達部材２５は、第１の位置（図５参照）と、第１の位置よりも右側（左右方向外側）にある第２の位置（図６参照）と、の間で左右方向に沿って直線的に移動可能に設けられている。
【００３９】
図４、図７を参照して、伝達部材２５は、伝達片５６と、伝達片５６の中央部から左側（左右方向内側）に向かって突出する筒状片５７と、筒状片５７の外周において伝達片５６から左側（左右方向内側）に向かって突出する一対の突片５８と、一対の突片５８の左側部の外周面に固定される略円環状の固定片５９と、を備えている。伝達片５６の右面（左右方向外側の面）には、伝達カップリング６１が設けられている。筒状片５７には、支持部材２４のボス片４９が挿入されている。一対の突片５８の形成間隔には、一対の挿入溝６２が形成されている。各挿入溝６２には、支持部材２４の各挿入片５０が挿入されている。以上のような構成により、左右方向に沿って移動可能且つ相対回転不能な状態で伝達部材２５が支持部材２４に支持されている。固定片５９は、各挿入片５０のフック５４を係止している。これにより、各挿入片５０の各挿入溝６２からの離脱が抑制されている。
【００４０】
図４を参照して、トナーコンテナ１５の移動機構２６は、保持部材６４とコイルスプリング６５（付勢部材の一例）とを備えている。
【００４１】
図８、図９を参照して、移動機構２６の保持部材６４は、伝達部材２５を第１の位置に保持する第１の保持位置（図８参照）と、伝達部材２５を第２の位置に保持する第２の保持位置（図９参照）との間で回転可能に設けられている。なお、各図に適宜付される矢印ＲＤは、保持部材６４が第１の保持位置から第２の保持位置まで回転する時の回転方向（以下、「回転方向ＲＤ」と称する）を示している。
【００４２】
図４を参照して、保持部材６４は、ベース部６７と、ベース部６７の外周面から径方向外側（第１回転軸Ｘから離間する側）に向かって直線状に延びるアーム部６８と、アーム部６８の径方向外側の端部から右側（左右方向外側）に向かって直線状に延びるボス部６９と、を備えている。
【００４３】
保持部材６４のベース部６７は、第１回転軸Ｘを軸心とする円筒状を成している。ベース部６７の内周には、伝達部材２５の一対の突片５８が回転可能に挿入されている。これにより、ベース部６７が伝達部材２５を回転可能に保持している。ベース部６７の左縁部（左右方向内側の縁部）は、伝達部材２５の固定片５９に当接している。
【００４４】
保持部材６４のベース部６７の外周面には、一対の被ガイド部７１（図４では、図面上における手前側の１個のみを表示）が突設されている。各被ガイド部７１は、傾斜片７２と、回転方向ＲＤにおける傾斜片７２の下流側に設けられる非傾斜片７３と、を備えており、略Ｖ字状を成している。傾斜片７２は、回転方向ＲＤにおける上流側から下流側に向かって右側（左右方向外側）に傾斜している。非傾斜片７３は、回転方向ＲＤに沿って設けられている。
【００４５】
図５、図６を参照して、移動機構２６のコイルスプリング６５は、支持部材２４の露出片４７と伝達部材２５の伝達片５６の間に介装されている。コイルスプリング６５は、伝達部材２５の筒状片５７の外周に装着されている。コイルスプリング６５は、伝達部材２５を右側（左右方向外側）に向かって押圧することで、伝達部材２５を第２の位置（図６参照）に付勢すると共に、保持部材６４を第２の保持位置（図９参照）に付勢している。
【００４６】
図４を参照して、トナーコンテナ１５のカバー部材２７は、平板状の主壁７５と、主壁７５の中央側に配置されるガイド壁７６と、主壁７５の外周側に配置される周壁７７と、を備えている。
【００４７】
カバー部材２７の主壁７５は、第１回転軸Ｘと交差する平面に沿って設けられている。主壁７５の中央部には、円形の貫通穴７９が設けられている。図２を参照して、主壁７５の前部には、円弧状の湾曲穴８０が設けられており、この湾曲穴８０を保持部材６４のボス部６９が貫通している。これにより、ボス部６９の先端部がカバー部材２７の右側（左右方向外側）に露出している。カバー部材２７の下部には、主壁７５と周壁７７にわたって切り欠き８１が形成されている。
【００４８】
図４を参照して、カバー部材２７のガイド壁７６は、円筒状を成している。ガイド壁７６は、貫通穴７９の外周において主壁７５から左側（左右方向内側）に向かって突出している。ガイド壁７６には、保持部材６４のベース部６７が挿入されている。これにより、カバー部材２７が保持部材６４を回転可能に支持している。
【００４９】
カバー部材２７のガイド壁７６の左縁部（左右方向内側の縁部）には、一対のガイド部８２が設けられている。各ガイド部８２は、上流側傾斜部８３と、回転方向ＲＤにおける上流側傾斜部８３の下流側に設けられる下流側傾斜部８４と、回転方向ＲＤにおける下流側傾斜部８４の下流側に設けられる非傾斜部８５と、を備えている。上流側傾斜部８３及び下流側傾斜部８４は、回転方向ＲＤにおける上流側から下流側に向かって右側（左右方向外側）に傾斜している。上流側傾斜部８３は、保持部材６４のベース部６７に設けられた各被ガイド部７１の傾斜片７２よりも、回転方向ＲＤに対する傾斜度が小さい。下流側傾斜部８４は、回転方向ＲＤに対する傾斜度が傾斜片７２と同一である。非傾斜部８５は、回転方向ＲＤに沿って設けられている。
【００５０】
図１０、図１１を参照して、トナーコンテナ１５のシャッター２８は、略円筒状を成している。シャッター２８は、容器本体２１のダクト部３３の外周に回転可能に装着されている。シャッター２８は、ダクト部３３の排出口３８を閉止する閉止位置（図１０参照）と、ダクト部３３の排出口３８を開放する開放位置（図１１参照）と、の間で回転可能に設けられている。シャッター２８の外周面には、シャッター側ギア８７が設けられている。
【００５１】
次に、装着部１６について更に説明する。
【００５２】
図１２、図１３を参照して、装着部１６の上方は、開閉可能なトップカバー１００によって覆われており、トップカバー１００を開放することによって、トナーコンテナ１５を装着部１６に対して着脱できるようになっている。図１３を参照して、装着部１６には、上側から下側に向かう装着方向Ｚに沿ってトナーコンテナ１５が着脱可能に装着されている。
【００５３】
図１４を参照して、装着部１６は、ケース部材１０１と、ケース部材１０１の上部に支持される操作部材１０２と、ケース部材１０１の下部に支持される接続部材１０３と、ケース部材１０１の上部に収容される駆動カップリング１０４と、を備えている。
【００５４】
装着部１６のケース部材１０１は、装着部１６の右端側に配置されている。ケース部材１０１の上壁部１０１Ｕには、上側スリット１０６が設けられている。ケース部材１０１の左壁部１０１Ｌの上部には、円形の装着穴１０７が設けられている。ケース部材１０１の左壁部１０１Ｌの下部には、円形の軸穴１０８が設けられている。ケース部材１０１の左壁部１０１Ｌの前部には、円弧状の前側スリット１０９が設けられている。
【００５５】
図１５、図１６を参照して、装着部１６の操作部材１０２は、支点部１１１と、支点部１１１の外周から上側に向かって直線状に延びる被操作部１１２と、支点部１１１の外周から前側に向かって直線状に延びる被当接部１１３と、を備えている。操作部材１０２は、被操作部１１２が略鉛直姿勢となる第１の操作位置（図１５参照）と、第１の操作位置よりも被操作部１１２が前側に傾く第２の操作位置（図１６参照）と、の間で支点部１１１を中心に回転可能に設けられている。支点部１１１の外周面には、操作部材側ギア１１５が設けられている。
【００５６】
図１４を参照して、操作部材１０２のうちの被操作部１１２の上部を除く部分は、ケース部材１０１に収容されている。被操作部１１２の上部は、ケース部材１０１の上側スリット１０６を介してケース部材１０１の外部に露出している。
【００５７】
図１０、図１１を参照して、装着部１６の接続部材１０３は、第１接続片１２１と、第１接続片１２１の左側に設けられる第２接続片１２２と、第１接続片１２１と第２接続片１２２を連結する連結軸１２３と、を備えている。
【００５８】
図１５、図１６を参照して、接続部材１０３の第１接続片１２１は、ケース部材１０１に収容されている。第１接続片１２１の外周面には、第１接続ギア１２５が設けられている。第１接続ギア１２５は、操作部材１０２の支点部１１１の操作部材側ギア１１５と噛み合っている。
【００５９】
図１４を参照して、接続部材１０３の第２接続片１２２は、ケース部材１０１の外部に露出している。第２接続片１２２の外周面には、第２接続ギア１２６が設けられている。
【００６０】
接続部材１０３の連結軸１２３は、ケース部材１０１の軸穴１０８を貫通している。これにより、連結軸１２３を中心に回転可能な状態で接続部材１０３がケース部材１０１に支持されている。
【００６１】
装着部１６の駆動カップリング１０４は、ケース部材１０１の装着穴１０７の内周に回転可能に装着されている。駆動カップリング１０４は、装着穴１０７を介してケース部材１０１の外部に露出している。駆動カップリング１０４は、モーターなどによって構成される駆動源１２８に接続されている。
【００６２】
次に、トナーコンテナ１５からトナーを排出する動作について説明する。
【００６３】
図３を参照して、トナーコンテナ１５からトナーを排出する際には、伝達部材２５の伝達カップリング６１が駆動カップリング１０４に連結され、且つ、ダクト部３３の排出口３８が開放された状態で、駆動源１２８を駆動させる。このように駆動源１２８が駆動すると、駆動源１２８からの回転駆動力によって駆動カップリング１０４が回転する。このように駆動カップリング１０４が回転すると、この回転が伝達部材２５及び支持部材２４によって撹拌部材２２に伝達され、撹拌部材２２が回転する。これに伴って、容器本体２１の収容部３１に収容されたトナーが撹拌部材２２によって撹拌される。
【００６４】
また、上記のように駆動カップリング１０４が回転すると、この回転が伝達部材２５及び支持部材２４によって搬送部材２３に伝達され、搬送部材２３が回転する。これに伴って、図３に矢印Ａで示されるように、容器本体２１の収容部３１及びダクト部３３に収容されたトナーが搬送部材２３によってダクト部３３の排出口３８に向かって搬送される。このようにダクト部３３の排出口３８に向かって搬送されたトナーは、ダクト部３３の排出口３８からトナーコンテナ１５の外部に排出される。なお、トナーコンテナ１５の外部に排出されたトナーは、現像装置１０（図１参照）に補給される。
【００６５】
次に、ユーザーやサービスマンなどの作業者がトナーコンテナ１５を装着部１６にセットする動作について説明する。
【００６６】
トナーコンテナ１５が装着部１６から取り外された状態では、保持部材６４が第２の保持位置（図９参照）にあり、保持部材６４の被ガイド部７１の傾斜片７２と非傾斜片７３がそれぞれカバー部材２７のガイド部８２の下流側傾斜部８４と非傾斜部８５に当接している。また、保持部材６４によって伝達部材２５が第２の位置（図６参照）に保持されており、伝達部材２５の伝達カップリング６１がカバー部材２７の貫通穴７９よりも右側（左右方向外側）に突出している。また、シャッター２８が閉止位置（図１０参照）に配置され、操作部材１０２が第１の操作位置（図１５参照）に配置されている。
【００６７】
作業者がトナーコンテナ１５を装着部１６にセットする際には、作業者がトナーコンテナ１５を装着方向Ｚに沿って装着部１６に挿入していく。図１７に示されるように、トナーコンテナ１５が装着部１６の所定の位置まで挿入されると、保持部材６４のボス部６９が操作部材１０２の被当接部１１３に当接する。つまり、保持部材６４が操作部材１０２に係合する。
【００６８】
この状態から、作業者がトナーコンテナ１５を装着方向Ｚに沿って装着部１６に更に挿入すると、図１５に示されるように、トナーコンテナ１５が装着部１６に装着される。これに伴って、操作部材１０２の被当接部１１３が保持部材６４のボス部６９を上側に押圧し、コイルスプリング６５の付勢力に抗して保持部材６４が第２の保持位置（図９参照）から第１の保持位置（図８参照）まで回転する。これに伴って、保持部材６４の被ガイド部７１の傾斜片７２がカバー部材２７のガイド部８２の下流側傾斜部８４に沿って移動し、被ガイド部７１の傾斜片７２と非傾斜片７３の境界部分がガイド部８２の上流側傾斜部８３に当接する。これに伴って、保持部材６４が左側（左右方向内側）に移動し、保持部材６４に保持された伝達部材２５が第２の位置（図６参照）から第１の位置（図５参照）まで移動する。これに伴って、伝達部材２５の伝達カップリング６１がカバー部材２７の貫通穴７９の内側に退避し、駆動カップリング１０４に対向する。
【００６９】
また、上記のようにトナーコンテナ１５が装着部１６に装着されるのに伴って、図１０に示されるように、シャッター２８のシャッター側ギア８７が接続部材１０３の第２接続片１２２の第２接続ギア１２６と噛み合う。これにより、操作部材１０２とシャッター２８が接続部材１０３を介して接続される。なお、接続部材１０３の連結軸１２３がカバー部材２７の切り欠き８１の位置に配置されることで、接続部材１０３とカバー部材２７の干渉が抑制される。
【００７０】
次に、作業者が操作部材１０２の被操作部１１２を前側に押圧する。この押圧により、操作部材１０２が第１の操作位置（図１５参照）から第２の操作位置（図１６参照）まで回転する。これに伴って、操作部材１０２による保持部材６４に対する第１の保持位置（図８参照）への押圧が解除され、コイルスプリング６５の付勢力によって保持部材６４が第１の保持位置（図８参照）から第２の保持位置（図９参照）まで回転する。これに伴って、保持部材６４の被ガイド部７１の傾斜片７２がカバー部材２７のガイド部８２の下流側傾斜部８４に沿って移動し、被ガイド部７１の傾斜片７２と非傾斜片７３がそれぞれガイド部８２の下流側傾斜部８４と非傾斜部８５に当接する。これに伴って、保持部材６４が右側（左右方向外側）に移動し、保持部材６４に保持された伝達部材２５が第１の位置（図５参照）から第２の位置（図６参照）まで移動する。これに伴って、伝達部材２５の伝達カップリング６１がカバー部材２７の貫通穴７９よりも右側（左右方向外側）に突出し、駆動カップリング１０４に連結される。
【００７１】
また、上記のように操作部材１０２が第１の操作位置（図１５参照）から第２の操作位置（図１６参照）まで回転するのに伴って、この回転が接続部材１０３を介してシャッター２８に伝達され、シャッター２８が閉止位置（図１０参照）から開放位置（図１１参照）まで回転する。これにより、ダクト部３３の排出口３８が開放される。以上により、トナーコンテナ１５の装着部１６へのセットが完了する。
【００７２】
なお、トナーコンテナ１５を装着部１６から取り外す際には、作業者は、操作部材１０２を第２の操作位置（図１６参照）から第１の操作位置（図１５参照）まで回転させた後、装着方向Ｚとは逆の方向に沿ってトナーコンテナ１５を装着部１６から引き抜く。
【００７３】
本実施形態では上記のように、第１の位置と第２の位置との間で伝達部材２５を移動させる移動機構２６がトナーコンテナ１５に設けられ、第１の操作位置と第２の操作位置との間で回転する操作部材１０２が装着部１６に設けられている。そして、トナーコンテナ１５が装着部１６に装着されるのに伴って、移動機構２６の保持部材６４が操作部材１０２に係合すると共に伝達カップリング６１が駆動カップリング１０４に対向し、トナーコンテナ１５が装着部１６に装着された状態で操作部材１０２が第１の操作位置から第２の操作位置まで回転するのに伴って、移動機構２６が伝達部材２５を第１の位置から第２の位置まで移動させ、伝達カップリング６１が駆動カップリング１０４に連結される。このような構成を採用することで、駆動カップリング１０４を左右方向に移動させるための機構を装着部１６に設ける必要が無くなるため、装着部１６の構成を複雑化することなく、伝達カップリング６１と駆動カップリング１０４を連結させることができる。
【００７４】
また、トナーコンテナ１５が装着部１６に装着されるのに伴って、操作部材１０２が保持部材６４のボス部６９を押圧し、コイルスプリング６５の付勢力に抗して保持部材６４が第２の保持位置から第１の保持位置まで回転し、トナーコンテナ１５が装着部１６に装着された状態で操作部材１０２が第１の操作位置から第２の操作位置まで回転するのに伴って、操作部材１０２による保持部材６４に対する第１の保持位置への押圧が解除され、コイルスプリング６５の付勢力によって保持部材６４が第１の保持位置から第２の保持位置まで回転する。このような構成を採用することで、簡易な構成を用いて、保持部材６４を第１の保持位置と第２の保持位置の間で回転させることができる。
【００７５】
また、保持部材６４のベース部６７は、カバー部材２７のガイド壁７６に挿入されている。このような構成を採用することで、簡易な構成を用いて、カバー部材２７によって保持部材６４を回転可能に支持することができる。
【００７６】
また、カバー部材２７のガイド部８２の上流側傾斜部８３及び下流側傾斜部８４は、回転方向ＲＤにおける上流側から下流側に向かって右側（左右方向外側）に傾斜し、保持部材６４は、上流側傾斜部８３及び下流側傾斜部８４に当接する被ガイド部７１を有する。このような構成を採用することで、保持部材６４の回転に伴って、保持部材６４を確実に左右方向に移動させることができる。
【００７７】
また、伝達部材２５は、左右方向に沿って移動可能且つ相対回転不能な状態で支持部材２４に支持され、コイルスプリング６５は、支持部材２４と伝達部材２５の間に介装されている。このような構成を採用することで、支持部材２４、伝達部材２５及びコイルスプリング６５を一体化し、狭いスペース内に配置することができる。
【００７８】
また、操作部材１０２が第１の操作位置から第２の操作位置まで回転するのに伴って、この回転がシャッター２８に伝達され、シャッター２８が閉止位置から開放位置まで回転する。このような構成を採用することで、操作部材１０２の操作によって、伝達カップリング６１と駆動カップリング１０４を連結させる動作とダクト部３３の排出口３８を開放する動作の両方を実行することが可能となり、作業者の負担を軽減することができる。
【００７９】
本実施形態では、操作部材１０２が第１の操作位置と第２の操作位置の間で回転している。一方で、他の異なる実施形態では、操作部材１０２が第１の操作位置と第２の操作位置の間で直線的に移動しても良い。
【００８０】
本実施形態では、シャッター２８が容器本体２１のダクト部３３の外周に回転可能に装着されている。一方で、他の異なる実施形態では、シャッター２８が容器本体２１のダクト部３３の内周に回転可能に装着されていても良い。
【００８１】
本実施形態では、操作部材１０２とシャッター２８が接続部材１０３を介して接続されている。一方で、他の異なる実施形態では、操作部材１０２とシャッター２８が直接接続されていても良い。
【００８２】
本実施形態では、撹拌部材２２の全体が容器本体２１に収容されている。一方で、他の異なる実施形態では、撹拌部材２２の一部が容器本体２１に収容されていても良い。本実施形態では、搬送部材２３のうちの右端部を除く部分が容器本体２１に収容されている。一方で、他の異なる実施形態では、搬送部材２３の全体が容器本体２１に収容されていても良い。
【００８３】
本実施形態では、伝達部材２５の全体が容器本体２１の外部に配置されている。一方で、他の異なる実施形態では、伝達部材２５の一部が容器本体２１の外部に配置されていても良い。
【００８４】
本実施形態では、プリンター１に本発明の構成を適用する場合について説明した。一方で、他の異なる実施形態では、コピー機、ファクシミリ、複合機等の他の画像形成装置に本発明の構成を適用することも可能である。
【００８５】
＜第２の実施形態＞
以下、本発明の第２の実施形態について、図１８〜図２４を参照しつつ説明する。
【００８６】
まず、第２の実施形態に係るトナーコンテナ１５１について説明する。なお、第１の実施形態に係るトナーコンテナ１５と同様の構成については、説明を省略する。
【００８７】
図１８を参照して、トナーコンテナ１５１の移動機構１５３は、保持部材６４とコイルスプリング６５とに加えて、ロック機構１５４を備えている。ロック機構１５４は、一対の一方突起１５５（図１８では、図面上における手前側の１個のみを表示）と一対の他方突起１５６とを備えている。各一方突起１５５は、保持部材６４の各被ガイド部７１から右側（左右方向外側）に向かって突出している。各他方突起１５６は、カバー部材２７の各ガイド部８２から左側（左右方向内側）に向かって突出している。
【００８８】
保持部材６４のボス部６９の右端部（左右方向外側の端部）には、傾斜面１５７が設けられている。傾斜面１５７は、左側（左右方向内側）に向かって下側に傾斜している。
【００８９】
次に、第２の実施形態に係る装着部１５２について説明する。なお、第１の実施形態に係る装着部１６と同様の構成については、説明を省略する。
【００９０】
図１９を参照して、装着部１５２の操作部材１５８は、支点部１１１と被操作部１１２と被当接部１１３とに加えて、突出部１５９を備えている。突出部１５９は、被当接部１１３の前部から上側に向かって突出している。突出部１５９は、前側及び左側が開口された形状を成しており、突出部１５９の内部には挿入空間ＩＳが形成されている。突出部１５９の上端部には、押圧部１６０が設けられている。
【００９１】
次に、ユーザーやサービスマンなどの作業者がトナーコンテナ１５１を装着部１５２にセットする動作について説明する。なお、第１の実施形態と同様の部分については、説明を省略する。
【００９２】
トナーコンテナ１５１が装着部１５２から取り外された状態では、ロック機構１５４の各一方突起１５５と各他方突起１５６が係合することにより、コイルスプリング６５の付勢力に抗して保持部材６４が第１の保持位置（図２０参照）に保持されている。つまり、ロック機構１５４によって保持部材６４が第１の保持位置に保持されている。そのため、伝達部材２５の伝達カップリング６１はカバー部材２７の貫通穴７９の内側に退避している。
【００９３】
作業者がトナーコンテナ１５１を装着部１５２にセットする際には、作業者がトナーコンテナ１５１を装着方向Ｚに沿って装着部１５２に挿入していく。図２１Ａに示されるように、トナーコンテナ１５１が装着部１５２の所定の位置まで挿入されると、保持部材６４のボス部６９の傾斜面１５７が操作部材１５８の突出部１５９の押圧部１６０に当接する。
【００９４】
この状態から、作業者がトナーコンテナ１５１を装着方向Ｚに沿って装着部１５２に更に挿入すると、突出部１５９の押圧部１６０がボス部６９の傾斜面１５７を左側（左右方向内側）に押圧する。これに伴って、図２１Ｂに示されるように、保持部材６４のアーム部６８が左側（左右方向内側）に弾性変形する。
【００９５】
この状態から、作業者がトナーコンテナ１５１を装着方向Ｚに沿って装着部１５２に更に挿入すると、トナーコンテナ１５１が装着部１５２に装着される。これに伴って、図２１Ｃに示されるように、突出部１５９の押圧部１６０によるボス部６９に対する左側（左右方向内側）への押圧が解除され、アーム部６８が右側（左右方向外側）に弾性復帰し、突出部１５９の押圧部１６０の下側（装着方向Ｚにおける奥側）にボス部６９が配置される。これに伴って、突出部１５９の挿入空間ＩＳにボス部６９が挿入される。
【００９６】
次に、作業者が操作部材１５８の被操作部１１２を前側に押圧する。この押圧により、操作部材１５８が第１の操作位置（図２２参照）から第２の操作位置（図２３参照）まで回転し、突出部１５９の押圧部１６０がボス部６９を下側に押圧する。これに伴って、ロック機構１５４の各一方突起１５５と各他方突起１５６の係合が解除される。つまり、ロック機構１５４による保持部材６４に対する第１の保持位置への保持が解除される。これに伴って、コイルスプリング６５の付勢力によって保持部材６４が第１の保持位置（図２０参照）から第２の保持位置（図２４参照）まで回転する。これに伴って、保持部材６４が右側（左右方向外側）に移動し、保持部材６４に保持された伝達部材２５が第１の位置から第２の位置まで移動する。これに伴って、伝達部材２５の伝達カップリング６１がカバー部材２７の貫通穴７９よりも右側（左右方向外側）に突出し、駆動カップリング１０４に連結される。
【００９７】
なお、トナーコンテナ１５１を装着部１５２から取り外す際には、左側（保持部材６４が設けられていない側）が上、右側（保持部材６４が設けられている側）が下になるようにトナーコンテナ１５１を傾けながら、装着方向Ｚとは逆の方向に沿ってトナーコンテナ１５１を装着部１５２から引き抜く。これにより、ボス部６９と突出部１５９の引っ掛かりを抑制することが可能となり、トナーコンテナ１５１を装着部１５２からスムーズに取り外すことが可能となる。
【００９８】
本実施形態では上記のように、コイルスプリング６５の付勢力に抗して保持部材６４を第１の保持位置に保持するロック機構１５４がトナーコンテナ１５１に設けられている。そのため、トナーコンテナ１５１が装着部１５２から取り外された状態では、保持部材６４によって伝達部材２５を第１の位置に保持し、伝達部材２５の伝達カップリング６１をカバー部材２７の貫通穴７９の内側に退避させることが可能となる。そのため、トナーコンテナ１５１の輸送時などに、外部からの衝撃によって伝達カップリング６１が損傷を受けるのを抑制することが可能となる。
【００９９】
また、ロック機構１５４は、保持部材６４に設けられる一方突起１５５と、カバー部材２７に設けられ、一方突起１５５と係合する他方突起１５６と、を備えている。このような構成を採用することで、専用の部品を追加することなく、ロック機構１５４を形成することができる。
【０１００】
また、トナーコンテナ１５１が装着部１５２に装着される途中で、突出部１５９の押圧部１６０がボス部６９を左側（左右方向内側）に押圧してアーム部６８が左側（左右方向内側）に弾性変形し、トナーコンテナ１５１が装着部１５２に装着されると、突出部１５９の押圧部１６０によるボス部６９に対する左側（左右方向内側）への押圧が解除され、アーム部６８が右側（左右方向外側）に弾性復帰し、突出部１５９の押圧部１６０の下側（装着方向Ｚにおける奥側）にボス部６９が配置される。このような構成を採用することで、操作部材１５８の回転に伴って突出部１５９の押圧部１６０によってボス部６９を確実に押圧することができる。
【符号の説明】
【０１０１】
＜第１の実施形態＞
１  プリンター（画像形成装置の一例）
１５  トナーコンテナ（トナー容器の一例）
１６  装着部
２１  容器本体
２２  撹拌部材（回転部材の一例）
２３  搬送部材（回転部材の一例）
２４  支持部材
２５  伝達部材
２６  移動機構
２７  カバー部材
２８  シャッター
３８  排出口
６１  伝達カップリング
６４  保持部材
６５  コイルスプリング（付勢部材の一例）
６７  ベース部
６８  アーム部
６９  ボス部
７１  被ガイド部
７５  主壁
７６  ガイド壁
７９  貫通穴
８２  ガイド部
１０２  操作部材
１０４  駆動カップリング
１２８  駆動源
Ｘ  第１回転軸
Ｙ  第２回転軸
Ｚ  装着方向
＜第２の実施形態＞
１５１  トナーコンテナ（トナー容器の一例）
１５２  装着部
１５３  移動機構
１５４  ロック機構
１５５  一方突起
１５６  他方突起
１５８  操作部材
１６０  押圧部
【図１】
2020106868.tif 000003
【図２】
2020106868.tif 000004
【図３】
2020106868.tif 000005
【図４】
2020106868.tif 000006
【図５】
2020106868.tif 000007
【図６】
2020106868.tif 000008
【図７】
2020106868.tif 000009
【図８】
2020106868.tif 000010
【図９】
2020106868.tif 000011
【図１０】
2020106868.tif 000012
【図１１】
2020106868.tif 000013
【図１２】
2020106868.tif 000014
【図１３】
2020106868.tif 000015
【図１４】
2020106868.tif 000016
【図１５】
2020106868.tif 000017
【図１６】
2020106868.tif 000018
【図１７】
2020106868.tif 000019
【図１８】
2020106868.tif 000020
【図１９】
2020106868.tif 000021
【図２０】
2020106868.tif 000022
【図２１Ａ】
2020106868.tif 000023
【図２１Ｂ】
2020106868.tif 000024
【図２１Ｃ】
2020106868.tif 000025
【図２２】
2020106868.tif 000026
【図２３】
2020106868.tif 000027
【図２４】
2020106868.tif 000028